(57)【要約】  巨視的な人口分布に関するデータを簡易に且つ速やかに収集し、簡易に且つ速やかに調査結果を得ることを目的として、ＲＮＣ（３００）は、位置登録信号を受信する位置登録信号受信部（３０３）と、セクタ単位の位置登録信号の信号数を計測する信号数計測部（３０４）と、を備え、情報分析装置（６００）は、人口分布情報を、信号数に基づいて算出する人口分布算出部（６１１）と、人口分布情報を出力する出力部（６０４）と、を備える。
2010116903.tif 000002
【特許請求の範囲】
【請求項１】
位置を登録する単位領域である位置登録エリアを構成するセクタを制御する基地局と、前記セクタに在圏する移動機と、前記基地局を制御する無線ネットワーク制御装置と、前記無線ネットワーク制御装置と通信可能な状態で接続されている情報分析装置と、を含んで構成されている通信システムであって、
前記無線ネットワーク制御装置は、
前記移動機が送信した信号であって、前記位置登録エリアへの位置登録を求める信号である位置登録信号を受信する位置登録信号受信部と、
セクタ単位の前記位置登録信号の信号数を計測する信号数計測部と、を備え、
前記情報分析装置は、
人口分布に関する人口分布情報であって、少なくとも前記信号数に対応する情報を含む人口分布情報を、前記信号数に基づいて算出する人口分布算出部と、
前記人口分布情報を出力する出力部と、を備える
ことを特徴とする通信システム。
【請求項２】
前記情報分析装置は、
前記人口分布情報に含まれる情報であって、位置登録エリアの境界に位置するセクタに関する信号数に対応する情報、を修正する境界セクタ修正部、
を更に備える、請求項１に記載の通信システム。
【請求項３】
前記通信システムは、
位置登録エリアへ位置登録を求める位置登録信号を、前記移動機から受信し、当該受信した位置登録信号に基づいて前記位置登録エリアに登録している移動機の数である登録数を計測する位置登録信号処理部を備える交換機、
を更に含んで構成され、
前記情報分析装置は、
前記人口分布情報に含まれる情報であって、前記位置登録エリアを構成するセクタに関する信号数に対応する情報を、前記登録数に基づいて修正する登録数考慮部、
を更に備える、請求項１又は２に記載の通信システム。
【請求項４】
位置を登録する単位領域である位置登録エリアを構成するセクタであり移動機が在圏するセクタを制御する基地局を更に制御する無線ネットワーク制御装置と通信可能な状態で接続されている情報分析装置であって、
前記移動機が送信した信号であって、前記位置登録エリアへの位置登録を求める信号である位置登録信号についてのセクタ単位の信号数を前記無線ネットワーク制御装置から受信する受信部と、
人口分布に関する人口分布情報であって、少なくとも前記受信部が受信した信号数に対応する情報を含む人口分布情報を前記信号数に基づいて算出する人口分布算出部と、
前記人口分布情報を出力する出力部と、
を備える通信分析装置。
【請求項５】
位置を登録する単位領域である位置登録エリアを構成するセクタを制御する基地局と、前記セクタに在圏する移動機と、前記基地局を制御する無線ネットワーク制御装置と、前記無線ネットワーク制御装置と通信可能な状態で接続されている情報分析装置と、を含んで構成されている通信システムにおいて実行される情報分析方法であって、
前記無線ネットワーク制御装置が、前記移動機が送信した信号であって、前記位置登録エリアへの位置登録を求める信号である位置登録信号を受信する位置登録信号受信ステップと、
前記無線ネットワーク制御装置が、セクタ単位の前記位置登録信号の信号数を計測する信号数計測ステップと、
前記情報分析装置が、人口分布に関する人口分布情報であって、少なくとも前記信号数に対応する情報を含む人口分布情報を、前記信号数に基づいて算出する人口分布算出ステップと、
前記情報分析装置が、前記人口分布情報を出力する出力ステップと、
を備える情報分析方法。
【発明の詳細な説明】
【技術分野】
【０００１】
本発明は、人口分布の概算を行う情報分析装置および情報分析方法、並びに、情報分析装置を含んで構成される通信システムに関する。
【背景技術】
【０００２】
従来、巨視的な人口分布に関するデータを収集する手法として、５年周期で全国的に実施される国勢調査があった。この調査は、対象者に対しアンケートを配布して回収し、多くの人手を使って集計するなどの非常に手間のかかる一連の作業が必要であり、調査結果を得るまでに時間がかかっていた。また、回答する対象者にとってもアンケートに記入して返送するといった負担を強いるものであった。
【先行技術文献】
【特許文献】
【０００３】
【特許文献１】特開２００３−４４９６９号公報
【発明の概要】
【発明が解決しようとする課題】
【０００４】
上記のように、従来は巨視的な人口分布に関するデータを収集するだけでも非常に面倒であり、かかるデータを簡易に且つ速やかに収集し、且つ調査結果を得ることは困難であった。【０００５】
一方、携帯端末を利用して人口分布を得る試みとして例えば特許文献１には、ＧＰＳ機能付き携帯端末を利用して人口の分布を求める点について記載されているが、この技術でも、対象とするユーザの全員に対して、ユーザ全員が一意に識別可能である識別子が付加されているＧＰＳ内蔵機器を配布する、及びＧＰＳを用いて測位した情報を一人一人収集する等人口分布を求めるための処理負荷と時間を要する。そのため、より簡易且つ速やかな人口分布に関するデータを収集し、及び調査する技術が待望されていた。【０００６】
本発明は、上記課題に鑑み、巨視的な人口分布に関するデータを簡易に且つ速やかに収集し、簡易に且つ速やかに調査結果を得ることを目的とする。
【課題を解決するための手段】
【０００７】
前記課題を解決するため、本発明の一側面に係る通信システムは、位置を登録する単位領域である位置登録エリアを構成するセクタを制御する基地局と、セクタに在圏する移動機と、基地局を制御する無線ネットワーク制御装置と、無線ネットワーク制御装置と通信可能な状態で接続されている情報分析装置と、を含んで構成されている通信システムであって、無線ネットワーク制御装置は、移動機が送信した信号であって、位置登録エリアへの位置登録を求める信号である位置登録信号を受信する位置登録信号受信部と、セクタ単位の位置登録信号の信号数を計測する信号数計測部と、を備え、情報分析装置は、人口分布に関する人口分布情報であって、少なくとも信号数に対応する情報を含む人口分布情報を、信号数に基づいて算出する人口分布算出部と、人口分布情報を出力する出力部と、を備える。【０００８】
この構成により、移動機が送信した位置登録信号を簡易に且つ速やかに収集して、その情報に基づいて算出した人口分布情報を出力することにより、巨視的な人口分布に関するデータ調査結果を簡易に且つ速やかに得ることが可能となる。【０００９】
また、情報分析装置は、人口分布情報に含まれる情報であって、位置登録エリアの境界に位置するセクタに関する信号数に対応する情報を修正する境界セクタ修正部を更に備えてもよい。【００１０】
この構成により、位置登録エリア境界に位置するセクタに関する信号数の誤差を適切に修正することが可能となる。【００１１】
また、通信システムは、位置登録エリアへ位置登録を求める位置登録信号を、移動機から受信し、当該受信した位置登録信号に基づいて位置登録エリアに登録している移動機の数である登録数を計測する位置登録信号処理部を備える交換機を更に含んで構成され、情報分析装置は、人口分布情報に含まれる情報であって、位置登録エリアを構成するセクタに関する信号数に対応する情報を、登録数に基づいて修正する登録数考慮部を更に備えてもよい。【００１２】
位置登録エリア単位では、実際に在圏している移動機の数量（実数）を把握しているため、該把握している情報を利用して、より現実に即した人口分布情報を算出することが可能となる。【００１３】
上記課題を解決するため、本発明の一側面に係る情報分析装置は、位置を登録する単位領域である位置登録エリアを構成するセクタであり移動機が在圏するセクタを制御する基地局を更に制御する無線ネットワーク制御装置と通信可能な状態で接続されている情報分析装置であって、移動機が送信した信号であって、位置登録エリアへの位置登録を求める信号である位置登録信号についてのセクタ単位の信号数を無線ネットワーク制御装置から受信する受信部と、人口分布に関する人口分布情報であって、少なくとも受信部が受信した信号数に対応する情報を含む人口分布情報を信号数に基づいて算出する人口分布算出部と、人口分布情報を出力する出力部と、を備える。【００１４】
この構成により、移動機が送信した位置登録信号を簡易に且つ速やかに収集して、その情報に基づいて算出した人口分布情報を出力することにより、巨視的な人口分布に関するデータ調査結果を簡易に且つ速やかに得ることが可能となる。【００１５】
上記課題を解決するため、本発明の一側面に係る情報分析方法は、位置を登録する単位領域である位置登録エリアを構成するセクタを制御する基地局と、セクタに在圏する移動機と、基地局を制御する無線ネットワーク制御装置と、無線ネットワーク制御装置と通信可能な状態で接続されている情報分析装置と、を含んで構成されている通信システムにおいて実行される情報分析方法であって、無線ネットワーク制御装置が、移動機が送信した信号であって、位置登録エリアへの位置登録を求める信号である位置登録信号を受信する位置登録信号受信ステップと、無線ネットワーク制御装置が、セクタ単位の位置登録信号の信号数を計測する信号数計測ステップと、情報分析装置が、人口分布に関する人口分布情報であって、少なくとも信号数に対応する情報を含む人口分布情報を、信号数に基づいて算出する人口分布算出ステップと、情報分析装置が、人口分布情報を出力する出力ステップと、を備える。【００１６】
この方法により、移動機が送信した位置登録信号を簡易に且つ速やかに収集して、その情報に基づいて算出した人口分布情報を出力することにより、巨視的な人口分布に関するデータ調査結果を簡易に且つ速やかに得ることが可能となる。
【発明の効果】
【００１７】
本発明によれば、巨視的な人口分布に関するデータを簡易に且つ速やかに（準リアルタイムに）収集し、簡易に且つ速やかに調査結果を得ることができる。
【図面の簡単な説明】
【００１８】
【図１】第１実施形態の通信システムのシステム構成を示す図である。
【図２】図１に示す通信システムの機能構成を示す図である。
【図３】図２に示すＢＴＳとセクタとの関係を示す図である。
【図４】説明のための例で用いるセクタの形状及びセクタ識別子を示す図である。
【図５】説明のための例で用いるセクタ単位信号数を示す図である。
【図６】図２に示す境界セクタ修正部における処理を説明するため図である。
【図７】図２に示す登録数考慮部における処理を説明するための図である。
【図８】図２に示す登録数考慮部が出力した人口分布情報の例を示す図である。
【図９】図２に示す通信システムにおける処理の流れを示す図である。
【図１０】図９に示す境界セクタの人口分布情報の修正処理の流れを示す図である。
【図１１】図９に示す登録数に基づいた人口分布情報修正処理の流れを示す図である。
【図１２】第２実施形態の通信システムのシステム構成を示す図である。
【発明を実施するための形態】
【００１９】
添付図面を参照しながら本発明の実施形態を説明する。可能な場合には、同一の部分には同一の符号を付して、重複する説明を省略する。
【００２０】
［第１実施形態］
［通信システムの構成］
図１は、本実施形態の通信システム１０のシステム構成を示す図である。図１に示すように、この通信システム１０は、移動機１００、ＢＴＳ（基地局）２００、ＲＮＣ（無線ネットワーク制御装置）３００、交換機４００、および管理センタ５００を含んで構成されている。また、この管理センタ５００は、社会センサユニット５０１、ペタマイニングユニット５０２、モバイルデモグラフィーユニット５０３、および可視化ソリューションユニット５０４から構成されている。
【００２１】
ＲＮＣ３００は、ＢＴＳ２００を介して移動機１００が送信した位置登録信号を受信し、位置登録信号の信号数をカウントする。なお、標準仕様書「Radio  Resource  Control  (RRC)  Protocol  Specification：  3GPP  TS  25.331」によれば、ＲＮＣ３００においてセクタ単位での信号数カウントについて規定されており、本方法はこれに準拠するものである。
【００２２】
具体的には、例えば、RRC  Connection  Request信号でパラメタRegistrationが設定されているものを計測してもよい。或いは、更に上位の信号内容を確認してもよい。
【００２３】
交換機４００は、ＢＴＳ２００、ＲＮＣ３００を介して、移動機１００が送信した位置登録信号を収集する。ＲＮＣ３００が、セクタ単位で位置登録信号をカウントしているのに対して、交換機４００は、位置登録エリア単位で移動機１００等を管理しており、移動機１００が送信した位置登録信号を収集することにより位置登録エリアに登録している移動機１００の数を位置登録エリア毎に把握及び記憶している。交換機４００は記憶している位置登録エリアに登録している移動機１００の数（登録数）を、所定のタイミング、または管理センタ５００からの要求に応じて管理センタ５００に出力する。ここで、一般的に、ＲＮＣ３００は、約千個からなるものであり、日本全国に配置されている。一方で、交換機４００は、３００個程度日本国内に配置されている。
【００２４】
管理センタ５００は、上述したとおり、社会センサユニット５０１、ペタマイニングユニット５０２、モバイルデモグラフィーユニット５０３、および可視化ソリューションユニット５０４を含んで構成されており、各ユニットでは、移動機１００が送信した位置登録信号を用いた統計処理を行う。
【００２５】
社会センサユニット５０１は、各交換機４００から交換機４００が記憶している位置登録エリアに登録している移動機１００の数等を含んだデータを収集するサーバ装置である。この社会センサユニット５０１は、交換機４００から定期的に出力されたデータを受信し、及び社会センサユニット５０１において予め定められたタイミングに従って交換機４００からデータを取得するように構成されている。
【００２６】
ペタマイニングユニット５０２は、社会センサユニット５０１から受信したデータを所定のデータ形式に変換するサーバ装置である。例えば、ペタマイニングユニット５０２は、ユーザＩＤをキーに、或いはエリアごとにソーティング処理を行う。
【００２７】
モバイルデモグラフィーユニット５０３は、ペタマイニングユニット５０２において処理されたデータに対する集計処理、すなわち各項目のカウンティング処理を行うサーバ装置である。例えば、モバイルデモグラフィーユニット５０３は、あるエリアに在圏するユーザ数のカウント、或いは在圏分布の集計等をすることができる。
【００２８】
可視化ソリューションユニット５０４は、モバイルデモグラフィーユニット５０３において集計処理されたデータを可視可能に処理するサーバ装置である。例えば、可視化ソリューションユニット５０４は、集計されたデータを地図上にマッピング処理することができる。この可視化ソリューションユニット５０４にて処理されたデータは、企業、官公庁または個人等に提供され、店舗開発、道路交通調査、災害対策、環境対策などに利用される。なお、このように統計処理された情報は、当然にプライバシーを侵害しないように個人等は特定されないように加工されている。
【００２９】
なお、社会センサユニット５０１、ペタマイニングユニット５０２、モバイルデモグラフィーユニット５０３および可視化ソリューションユニット５０４はいずれも、前述したようにサーバ装置により構成され、図示は省略するが、通常の情報処理装置の基本構成（即ち、ＣＰＵ、ＲＡＭ、ＲＯＭ、キーボードやマウス等の入力デバイス、外部との通信を行う通信デバイス、情報を記憶する記憶デバイス、および、ディスプレイやプリンタ等の出力デバイス）を備えることは言うまでもない。
【００３０】
図２に通信システム１０の機能構成を示す。図２に示すように通信システム１０は、複数のＢＴＳ２００それぞれが制御するセクタに在圏する複数の移動機１００と、ＢＴＳ２００を制御するＲＮＣ３００と、交換機４００と、情報分析装置６００と、を含んで構成される。情報分析装置６００は、前述した図１に示したモバイルデモグラフィーユニット５０３および可視化ソリューションユニット５０４に相当する。図１の社会センサユニット５０１およびペタマイニングユニット５０２に対応する機能に関しては、図２ではこれらの表記を省略している。
【００３１】
ＲＮＣ３００は、ＲＮＣ通信制御部３０２、位置登録信号受信部３０３、及び信号数計測部３０４を含んで構成されている。また、交換機４００は、交換機通信制御部４０１、変換部４０２、位置登録信号処理部４０４、および記憶部４０３を含んで構成されている。
【００３２】
情報分析装置６００は、情報分析装置通信制御部６０１、人口分布算出部６１１、境界セクタ修正部６１２、登録数考慮部６１３、及び出力部６０４を含んで構成されている。
【００３３】
まず、ＲＮＣ３００について説明する。ＲＮＣ通信制御部３０２は、ＢＴＳ２００を介して移動機１００と通信接続を行う部分であり、例えば、移動機１００からの発信処理に基づいた通信接続処理および位置登録要求に基づいた通信接続処理を行う。本実施形態においては、移動機１００は、（１）移動機１００が位置の登録を要求する場合の単位領域である位置登録エリアを跨いで移動した場合、及び、（２）一定の周期（例えば５４分）毎に位置登録エリアへの位置登録を求める信号である位置登録信号を送信している。更に、本実施形態では、ＲＮＣ通信制御部３０２は、通信接続処理に用いられるInitial  UE  Messageを交換機４００に送信することができる。なお、このInitial  UE  Messageは、発信または位置登録要求を示す指示情報（位置登録信号）、及び移動機１００を一意に特定するテンポラリＩＤ等のＩＤ、を含んでいる。また、Initial  UE  Messageは、移動機１００の位置情報を付加することも可能である。なお、テンポラリＩＤとは、移動機１００がネットワークに接続した際に、交換機４００により払い出されたＩＤ情報である。
【００３４】
図３は、ＢＴＳ２００とセクタとの関係を示す図である。円形で示されている領域の中心にＢＴＳ２００が位置するものであり、それを中心に複数に等分されたものがセクタである。例えば図３では、ＢＴＳ２００の通信エリアは最大６セクタからなるものであり、それぞれのセクタごとに、セクタを一意に識別可能であるセクタ識別子が割り当てられており、ＲＮＣ３００は、該セクタ識別子を用いることにより移動機１００が何れのセクタにいるかを、ＢＴＳ２００経由で把握可能となっている。
【００３５】
なお、ＲＮＣ３００は、ＲＲＣコネクション要求の処理を行った際に得られる信号の遅延に基づいてセクタ内のどの位置に移動機１００が位置するか、そのＧＡＩ（Geographical  Area  ID）を算出することもできる。そのセクタＩＤとセクタ内の位置に基づいて移動機１００の位置を特定することもできる。
【００３６】
位置登録信号受信部３０３は、移動機１００が送信した位置登録信号をＲＮＣ通信制御部３０２経由で受信する部分である。
【００３７】
信号数計測部３０４は、位置登録信号受信部３０３が受信した位置登録信号から、上記方法によってセクタ毎に位置登録信号があった回数の合計であるセクタ単位信号数（信号数：すなわち該当するセクタにおいて移動機１００が単位時間に送信した位置登録信号の数）を計測する部分である。
【００３８】
信号数計測部３０４は、ＲＮＣ通信制御部３０２を介してセクタ単位信号数を交換機４００へ送信する。
【００３９】
つぎに、交換機４００について説明する。交換機通信制御部４０１は、ＲＮＣ３００から送信されるInitial  UE  Messageを受信し、このInitial  UE  Messageを用いて通信接続処理を行う部分である。
【００４０】
変換部４０２は、交換機通信制御部４０１により受信されたInitial  UE  Messageに含まれているテンポラリＩＤ等のＩＤを電話番号に変換する部分である。変換部４０２は、変換処理に際して、加入者プロファイル情報を記憶する加入者プロファイル情報記憶部（図示せず）から、テンポラリＩＤ等のＩＤに対応付けられている電話番号を抽出し、当該抽出した電話番号に変換する。なお、この加入者プロファイル情報記憶部は、例えば図示しないＨＬＲ（Home  Location  Register）に備えられているものであり、ここではテンポラリＩＤ等のＩＤと電話番号とを対応付けて管理及び記憶している。
【００４１】
位置登録信号処理部４０４は、位置登録信号を移動機１００からＢＴＳ２００を介して受信し、受信した位置登録信号に基づいて位置登録エリアに登録している移動機１００の数である登録数を計測する部分である。
【００４２】
上述の通り本実施形態では移動機１００は、移動機１００が位置登録エリアを跨いで移動した場合に位置登録信号を送信している。それにより、位置登録信号処理部４０４は、位置登録エリア内に存在する移動機１００の実数を把握できることとなる。なお、標準仕様書「Mobile  Application  Part(MAP)  specification:  3GPP  TS  29.002」には、交換機４００が位置登録を管理する方法について記載されている。本実施形態の交換機４００における処理はこの方法に準拠したものである。
【００４３】
記憶部４０３は、位置登録信号処理部４０４が計測した登録数、及び交換機通信制御部４０１を介してＲＮＣ３００から受信したセクタ単位信号数を入力し、記憶する部分である。なお、変換部４０２で変換された電話番号とInitial  UE  Messageに含まれている移動機１００の位置情報と当該位置情報が測位された時刻とを対応付けて記憶することもできる。この記憶部４０３に記憶されている登録数は、交換機通信制御部４０１による通信処理に従って、後述する所定のタイミングまたは管理センタ５００からの要求に応じて収集される。
【００４４】
交換機通信制御部４０１は、記憶部４０３が記憶している登録数などの情報を情報分析装置６００へ送信する。
【００４５】
次に、情報分析装置６００について説明する。情報分析装置通信制御部６０１は、情報分析装置６００と交換機４００との間の通信を制御する部分である。
【００４６】
人口分布算出部６１１は、ＲＮＣ３００の信号数計測部３０４が計測したセクタ単位信号数を情報分析装置通信制御部６０１を介して受信し、受信したセクタ単位信号数に基づいてセクタ単位の人口分布に関する情報であって、少なくともセクタ単位信号数に対応する情報を含む人口分布情報を算出する部分である。本実施形態においては、人口分布情報の例として、セクタ単位信号数と、対応するセクタが属する登録エリア識別子と、がセクタ識別子と関連付けられた情報であって、且つ、セクタ同士の位置関係すなわちセクタの隣接関係が含まれている情報を用いる。
【００４７】
図４及び図５に本発明を説明するための例に用いるセクタ単位信号数の例を示す。
【００４８】
図４の６角形で示した一つの領域が一つのセクタに対応する。図４の６角形の中央に記入した数字がセクタを一意に識別可能とするセクタ識別子である。図４のセクタ識別子１〜５であるセクタは、同一の位置登録エリアに属している。また、セクタ識別子６〜１２であるセクタは、同一の（セクタ識別子１〜５が属している位置登録エリアとは別の）位置登録エリアに属している。
【００４９】
図５には、図４に示したセクタにおけるセクタ単位信号数の例を示す。
【００５０】
境界セクタ修正部６１２は、人口分布情報に含まれる情報のうち、位置登録エリアの境界に位置するセクタに関するセクタ単位信号数に対応する情報を修正する部分である。上述の通り、本実施形態においては、移動機１００は、（１）移動機１００が、位置登録エリアを跨いで移動したとき、及び、（２）一定の周期（例えば５４分）が経過したとき、に位置登録信号を送信している。
【００５１】
図５の例で示したように、位置登録エリアの境界に位置するセクタ（図５の例ではセクタ識別子３〜７であるセクタ）では、上記（１）位置登録エリアを跨いで移動した場合の位置登録信号が発生するために、セクタ単位信号数が相対的に大きくなる傾向にある。また、移動がない場合であっても境界セクタは電波強度により位置登録信号が発生し、セクタ単位信号数が大きくなる場合があり得る。
【００５２】
このような誤差を修正する方法について図６を用いて説明する。図６（ａ）、（ｂ）に示す６角形の中心に記載された数字がセクタ識別子である。図６（ａ）、（ｂ）に示すセクタ識別子の下に丸括弧内に記入された数字がセクタ単位信号数である。図６（ａ）は、境界セクタ修正部６１２による修正前を示した図である。図６（ｂ）は、境界セクタ修正部６１２による修正後を示した図である。
【００５３】
図６（ａ）においてセクタ識別子が１、２、及び８〜１２であるセクタについて、境界セクタ修正部６１２は修正を行わない。
【００５４】
セクタ識別子が３であるセクタ（以後、セクタ識別子がｘであるセクタのことを「セクタｘ」と称する）については、位置登録エリアの境界に位置しているために、境界セクタ修正部６１２は修正を行う。すなわち、人口分布情報に含まれるセクタ３に関するセクタ単位信号数を、セクタ３に隣接しているセクタの中で信頼性の高いセクタ１のセクタ単位信号数（１０）に置き換える。なお、境界セクタ修正部６１２は、信頼性の高いセクタであれば、同一の位置登録エリア内のセクタに限らず、隣接する位置登録エリア内のセクタについても考慮する。但し、隣接する位置登録エリア内のセクタについて考慮することは必須ではなく、同一の位置登録エリア内のセクタのみを考慮することとしてもよい。
【００５５】
境界セクタ修正部６１２は、セクタ３にフラグ（信頼性のある値フラグ）を設定する。
【００５６】
次に、セクタ４について説明する。セクタ４の場合も、隣接しているセクタの中で信頼性の高いセクタを選別するが、その際、セクタ１及び２（位置登録エリアの境界に位置しない）、並びにセクタ３（信頼性のある値フラグが設定されている）が選別される。複数のセクタが選別されているため、セクタ１〜３のそれぞれのセクタ単位信号数の平均をセクタ４のセクタ単位信号数とする。すなわち、セクタ４における修正後のセクタ単位信号数は、「（１０＋１０＋５）／３」の式で求められる。
【００５７】
境界セクタ修正部６１２は、セクタ４にフラグ（信頼性のある値フラグ）を設定する。更に、セクタ５〜７についても同様に修正する。
【００５８】
境界セクタ修正部６１２による修正後の人口分布情報を図６（ｂ）に示す。ここで図６（ｂ）は、小数点以下を四捨五入した整数値を信号数としているが、これは算出の一例であり、これに限定されるものではない。例えば、小数値を信号数としてもよい。
【００５９】
この方法によって、隣接するセクタに関するセクタ単位信号数の中で信頼のある数に基づく信頼性の高い方法によって位置登録エリアの境界に位置するセクタにおけるセクタ単位信号数の誤差を修正することが可能となる。
【００６０】
登録数考慮部６１３は、人口分布情報に含まれる情報のうち、セクタ単位信号数に対応する情報を、位置登録エリアに登録している移動機１００の数である登録数に基づいて修正する部分である。
【００６１】
図７、及び図８を用いて登録数考慮部６１３が、人口分布情報に含まれる情報のうち、セクタ単位信号数に対応する情報を、登録数に基づいて修正する方法について説明する。
【００６２】
図７は、位置登録エリア毎に、当該位置登録エリアを構成する全てのセクタに関するセクタ単位信号数の合計と、当該位置登録エリアに登録している移動機１００の実数と、の関係の例を示した表である。
【００６３】
登録数考慮部６１３は、「登録数（実数）」を「セクタ単位信号数の合計」で割ることにより図７の「ウエイト」を算出する。なお、上記説明したように、本実施形態において、交換機４００は、ある時刻における位置登録エリアに登録している移動機１００の実数（すなわち登録数）を把握している。登録数考慮部６１３は、交換機４００の記憶部４０３が記憶している登録数を入力し、図７の「登録数（実数）」とする。
【００６４】
登録数考慮部６１３は、該当する位置登録エリアを構成する全てのセクタに関するセクタ単位信号数に「ウエイト」を乗算する。それによって、同じ位置登録エリアを構成しているセクタに関して、セクタ単位信号数間の比率を変化させることなく、より、現実に即した人口分布情報を得ることが可能となる。
【００６５】
図８に、登録数考慮部６１３によって修正された後の人口分布情報の例を示す。
【００６６】
出力部６０４は、人口分布算出部６１１が算出し、境界セクタ修正部６１２及び登録数考慮部６１３によって修正された人口分布情報を出力する部分である。
【００６７】
なお、本実施形態において、出力部６０４は、境界セクタ修正部６１２及び登録数考慮部６１３によって修正された人口分布情報を出力しているが、それに限定しない。例えば、境界セクタ修正部６１２による修正を省略してもよい。また、登録数考慮部６１３による修正を省略してもよい。更に、境界セクタ修正部６１２、及び登録数考慮部６１３による修正の両方を省略してもよい。
【００６８】
ここでの「出力」は、表示出力および印刷出力を広く含むことは言うまでもない。即ち、人口流動数情報は、ディスプレイ等に表示出力されてもよいし、プリンタ等から印刷出力されてもよいし、表示と印刷の両方で出力されてもよい。
【００６９】
出力方法は、具体的には、それぞれのセクタを人口分布に応じた色で塗ることによって人口分布を色で表現してもよい。または、数字を記入してもよい。
【００７０】
［通信システムにて実行される処理の流れについて］
つぎに、このように構成された通信システム１０の処理の流れについて図９〜１１を参照して説明する。
【００７１】
移動機１００は、位置登録エリアを跨いだとき、及び一定周期が経過したときに位置登録信号を送信する（ステップＳ１０１）。
【００７２】
ＲＮＣ３００の位置登録信号受信部３０３は、移動機１００が送信した位置登録信号を受信する（ステップＳ１０２）。
【００７３】
ＲＮＣ３００の信号数計測部３０４は、セクタ単位信号数を計測する。計測されたセクタ単位信号数は一定間隔にて、或いは管理センタ５００の要求に応じて管理センタ５００へ送信される（ステップＳ１０３）
交換機４００の位置登録信号処理部４０４は、移動機１００が送信した位置登録信号に基づいて、位置登録エリアに登録している移動機１００の数である登録数を計測する（ステップＳ１０４）。
【００７４】
交換機４００の記憶部４０３は、位置登録信号処理部４０４が計測した登録数を記憶する。記憶された登録数は一定間隔にて、或いは管理センタ５００の要求に応じて管理センタ５００へ送信される（ステップＳ１０５）。
【００７５】
情報分析装置６００の人口分布算出部６１１は、ＲＮＣ３００から受信したセクタ単位信号数に基づいて、人口分布情報ｘを算出する（ステップＳ１０６）。
【００７６】
境界セクタ修正部６１２は、人口分布情報の中で、位置登録エリアの境界に位置するセクタに関するセクタ単位信号数を修正する（ステップＳ１０７）。
【００７７】
登録数考慮部６１３は、交換機４００から受信した登録数に基づいて人口分布情報を修正する（ステップＳ１０８）。
【００７８】
出力部６０４は、人口分布情報を出力する（ステップＳ１０９）。
【００７９】
次に図１０を参照して、「境界セクタの人口分布情報を修正（ステップＳ１０７）」する処理について説明する。
【００８０】
この処理は位置登録エリアの境界に位置するセクタにのみ適応される（ステップＳ７０１）。境界セクタ修正部６１２は、位置登録エリアの境界に位置するセクタから、一のセクタを対象として選択する（以後、「対象としているセクタ」と称する）。
【００８１】
境界セクタ修正部６１２は、対象としているセクタに「信頼性のある値」フラグが設定されているか否か判断する（ステップＳ７０２）。
【００８２】
境界セクタ修正部６１２が「信頼性のある値」フラグが設定されていると判断した場合（ステップＳ７０２において“ＹＥＳ”）、境界セクタ修正部６１２は、後述のＳ７０５の処理を実行する。
【００８３】
境界セクタ修正部６１２が「信頼性のある値」フラグが設定されていないと判断した場合（ステップＳ７０２において“ＮＯ”）、境界セクタ修正部６１２は、対象としているセクタに隣接しているセクタの中から、位置登録エリアの境界に位置していない、若しくは「信頼性のある値」フラグが設定されているセクタを選別し、該選別されたセクタに関するセクタ単位信号数の平均値を求める。
【００８４】
更に、境界セクタ修正部６１２は、対象としているセクタに関するセクタ単位信号数を、上記求めた平均値によって置き換える（ステップＳ７０３）。
【００８５】
境界セクタ修正部６１２は、対象と指定セクタに対して「信頼性のある値」フラグを設定する（ステップＳ７０４）。
【００８６】
境界セクタ修正部６１２は、上記ステップＳ７０１からステップ７０４までの処理を全てのセクタに対して適応する（ステップＳ７０５）。
【００８７】
次に、図１１を参照して「登録数に基づいて人口分布情報を修正（ステップＳ１０８）」する処理について説明する。
【００８８】
登録数考慮部６１３は、位置登録エリア毎に該位置登録エリアを構成している全てのセクタに関するセクタ単位信号数を集計（合計）する（ステップＳ８０１）。
【００８９】
登録数考慮部６１３は、位置登録エリアに登録している移動機１００の数である登録数をセクタ単位信号数の合計値で割ることによりウエイトを算出する（ステップＳ８０２）。
【００９０】
登録数考慮部６１３は、各セクタ単位信号数に対してウエイトを乗算する（ステップＳ８０３）。
【００９１】
［作用及び効果について］
次に、本実施形態の通信システム１０の作用及び効果について説明する。
【００９２】
本実施形態の通信システム１０のＲＮＣ３００は、位置登録信号を受信する位置登録信号受信部３０３と、セクタ単位の位置登録信号の信号数を計測する信号数計測部３０４と、を備え、情報分析装置６００は、人口分布情報を、セクタ単位信号数に基づいて算出する人口分布算出部６１１と、人口分布情報を出力する出力部６０４と、を備える。そのため、移動機１００が送信した位置登録信号を簡易に且つ速やかに収集して、その情報に基づいて算出した人口分布情報を出力することにより、巨視的な人口分布に関するデータ調査結果を簡易に且つ速やかに得ることが可能となる。
【００９３】
また、情報分析装置６００は、人口分布情報に含まれる情報であって、位置登録エリアの境界に位置するセクタに関する信号数に対応する情報を修正する境界セクタ修正部６１２を更に備える。そのため、位置登録エリア境界に位置するセクタに関する信号数の誤差を適切に修正することが可能となる。
【００９４】
また、通信システム１０は、位置登録エリアへ位置登録を求める位置登録信号を移動機１００から受信し、当該受信した位置登録信号に基づいて位置登録エリアに登録している移動機１００の数である登録数を計測する位置登録信号処理部４０４を備える交換機４００を更に含んで構成され、情報分析装置６００は、人口分布情報に含まれる情報であって、位置登録エリアを構成するセクタに関する信号数に対応する情報を、登録数に基づいて修正する登録数考慮部６１３を更に備える。位置登録エリア単位では、実際に在圏している移動機の数量（実数）を把握しているため、該把握している情報を利用して、より現実に即した人口分布情報を得ることが可能となる。
【００９５】
［第２実施形態］
図１２は、第２実施形態の通信システム１０ａのシステム構成図である。図１２に示すように、この通信システム１０ａは、新しい通信方式であるＬＴＥ（Long  Term  Evolution）に適用した場合のシステム構成であり、移動機１００、ｅＮＢ（Evolution  Node  B）２５０、交換機４００、および管理センタ５００を含んで構成されている。また、この管理センタ５００は、社会センサユニット５０１、ペタマイニングユニット５０２、モバイルデモグラフィーユニット５０３、および可視化ソリューションユニット５０４から構成されている。なお、ｅＮＢ２５０は、ＢＴＳ２００およびＲＮＣ３００の両方の機能を包含したものである。
【００９６】
この第２実施形態は、ＬＴＥに適用した場合のシステム構成であって、その具体的な処理内容は、上述の第１実施形態と同様であるため、その詳細説明は割愛する。なお、第１実施形態において、そのプロトコルは、ＲＡＮＡＰ（Radio  Access  Network  Application  Part）であるが、第２実施形態においては、ＬＴＥで使用するＳ１ＡＰ（S1  Application  protocol）が用いられており、Initial  UE  Messageについては、Ｓ１ＡＰにおいても同信号が用いられている。
【００９７】
また、第１実施形態、第２実施形態においては、第三世代携帯電話（３Ｇ）システムを前提として説明していたが、ＧＳＭ（Global  System  for  Mobile  Communications）においても適用可能である。
【産業上の利用可能性】
【００９８】
本発明によれば、巨視的な人口分布に関するデータを簡易に且つ速やかに（準リアルタイムに）収集し、調査結果を得ることができる。
【符号の説明】
【００９９】
１０、１０ａ…通信システム、１００…移動機、２００…ＢＴＳ、２５０…ｅＮＢ、３００…ＲＮＣ、３０２…ＲＮＣ通信制御部、３０３…位置登録信号受信部、３０４…信号数計測部、４００…交換機、４０１…交換機通信制御部、４０２…変換部、４０３…記憶部、４０４…位置登録信号処理部、５００…管理センタ、５０１…社会センサユニット、５０２…ペタマイニングユニット、５０３…モバイルデモグラフィーユニット、５０４…可視化ソリューションユニット、６００…情報分析装置、６０１…情報分析装置通信制御部、６０４…出力部、６１１…人口分布算出部、６１２…境界セクタ修正部、６１３…登録数考慮部。
【図１】
2010116903.tif 000003
【図２】
2010116903.tif 000004
【図３】
2010116903.tif 000005
【図４】
2010116903.tif 000006
【図５】
2010116903.tif 000007
【図６】
2010116903.tif 000008
【図７】
2010116903.tif 000009
【図８】
2010116903.tif 000010
【図９】
2010116903.tif 000011
【図１０】
2010116903.tif 000012
【図１１】
2010116903.tif 000013
【図１２】
2010116903.tif 000014
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
位置を登録する単位領域である位置登録エリアを構成するセクタを制御する基地局と、前記セクタに在圏する移動機と、前記基地局を制御する無線ネットワーク制御装置と、交換機と、前記交換機を介して前記無線ネットワーク制御装置と通信可能な状態で接続されている情報分析装置と、を含んで構成されている通信システムであって、
前記無線ネットワーク制御装置は、
前記移動機が送信した信号であって、前記位置登録エリアへの位置登録を求める信号である位置登録信号を受信する位置登録信号受信部と、
単位時間におけるセクタ単位の前記位置登録信号の信号数を計測する信号数計測部と、を備え、
前記交換機は、
位置登録エリアへ位置登録を求める位置登録信号を、前記移動機から受信し、当該受信した位置登録信号に基づいて前記位置登録エリアに登録している移動機の数である登録数を計測する位置登録信号処理部を備え、
前記情報分析装置は、
人口分布に関する人口分布情報であって、少なくとも前記信号数に対応する情報を含む人口分布情報を、前記信号数に基づいて算出する人口分布算出部と、
前記人口分布情報に含まれる情報であって、前記位置登録エリアを構成するセクタに関する信号数に対応する情報を、前記登録数に基づいて修正する登録数考慮部と、
修正後の前記人口分布情報を出力する出力部と、を備える
ことを特徴とする通信システム。
【請求項２】
前記情報分析装置は、
前記人口分布情報に含まれる情報であって、位置登録エリアの境界に位置するセクタに関する信号数に対応する情報、を修正する境界セクタ修正部、
を更に備える、請求項１に記載の通信システム。
【請求項３】
位置を登録する単位領域である位置登録エリアを構成するセクタであり移動機が在圏するセクタを制御する基地局を更に制御する無線ネットワーク制御装置に、交換機を介して、通信可能な状態で接続されている情報分析装置であって、
前記移動機が送信した信号であって、前記位置登録エリアへの位置登録を求める信号である位置登録信号についてのセクタ単位の信号数を前記無線ネットワーク制御装置から受信するとともに、前記交換機によって前記位置登録信号に基づき計測された、前記位置登録エリアに登録している移動機の数である登録数を、前記交換機から受信する受信部と、
人口分布に関する人口分布情報であって、少なくとも前記受信部が受信した信号数に対応する情報を含む人口分布情報を前記信号数に基づいて算出する人口分布算出部と、
前記人口分布情報に含まれる情報であって、前記位置登録エリアを構成するセクタに関する信号数に対応する情報を、前記登録数に基づいて修正する登録数考慮部と、
修正後の前記人口分布情報を出力する出力部と、
を備える情報分析装置。
【請求項４】
位置を登録する単位領域である位置登録エリアを構成するセクタを制御する基地局と、前記セクタに在圏する移動機と、前記基地局を制御する無線ネットワーク制御装置と、交換機と、前記交換機を介して前記無線ネットワーク制御装置と通信可能な状態で接続されている情報分析装置と、を含んで構成されている通信システムにおいて実行される情報分析方法であって、
前記無線ネットワーク制御装置が、前記移動機が送信した信号であって、前記位置登録エリアへの位置登録を求める信号である位置登録信号を受信する位置登録信号受信ステップと、
前記無線ネットワーク制御装置が、単位時間におけるセクタ単位の前記位置登録信号の信号数を計測する信号数計測ステップと、
前記交換機が、位置登録エリアへ位置登録を求める位置登録信号を、前記移動機から受信し、当該受信した位置登録信号に基づいて前記位置登録エリアに登録している移動機の数である登録数を計測する位置登録信号処理ステップと、
前記情報分析装置が、人口分布に関する人口分布情報であって、少なくとも前記信号数に対応する情報を含む人口分布情報を、前記信号数に基づいて算出する人口分布算出ステップと、
前記情報分析装置が、前記人口分布情報に含まれる情報であって、前記位置登録エリアを構成するセクタに関する信号数に対応する情報を、前記登録数に基づいて修正する登録数考慮ステップと、
前記情報分析装置が、修正後の前記人口分布情報を出力する出力ステップと、
を備える情報分析方法。
【手続補正２】
【補正対象書類名】明細書
【補正対象項目名】０００７
【補正方法】変更
【補正の内容】
【０００７】
前記課題を解決するため、本発明の一側面に係る通信システムは、位置を登録する単位領域である位置登録エリアを構成するセクタを制御する基地局と、セクタに在圏する移動機と、基地局を制御する無線ネットワーク制御装置と、交換機と、交換機を介して無線ネットワーク制御装置と通信可能な状態で接続されている情報分析装置と、を含んで構成されている通信システムであって、無線ネットワーク制御装置は、移動機が送信した信号であって、位置登録エリアへの位置登録を求める信号である位置登録信号を受信する位置登録信号受信部と、単位時間におけるセクタ単位の位置登録信号の信号数を計測する信号数計測部と、を備え、交換機は、位置登録エリアへ位置登録を求める位置登録信号を、移動機から受信し、当該受信した位置登録信号に基づいて位置登録エリアに登録している移動機の数である登録数を計測する位置登録信号処理部を備え、情報分析装置は、人口分布に関する人口分布情報であって、少なくとも信号数に対応する情報を含む人口分布情報を、信号数に基づいて算出する人口分布算出部と、人口分布情報に含まれる情報であって、位置登録エリアを構成するセクタに関する信号数に対応する情報を、登録数に基づいて修正する登録数考慮部と、修正後の人口分布情報を出力する出力部と、を備える。
【手続補正３】
【補正対象書類名】明細書
【補正対象項目名】０００８
【補正方法】変更
【補正の内容】
【０００８】
この構成により、移動機が送信した位置登録信号を簡易に且つ速やかに収集して、その情報に基づいて算出した人口分布情報を出力することにより、巨視的な人口分布に関するデータ調査結果を簡易に且つ速やかに得ることが可能となる。また、位置登録エリア単位では、実際に在圏している移動機の数量（実数）を把握しているため、該把握している情報を利用して、より現実に即した人口分布情報を算出することが可能となる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
上記課題を解決するため、本発明の一側面に係る情報分析装置は、位置を登録する単位領域である位置登録エリアを構成するセクタであり移動機が在圏するセクタを制御する基地局を更に制御する無線ネットワーク制御装置に、交換機を介して、通信可能な状態で接続されている情報分析装置であって、移動機が送信した信号であって、位置登録エリアへの位置登録を求める信号である位置登録信号についてのセクタ単位の信号数を無線ネットワーク制御装置から受信するとともに、交換機によって位置登録信号に基づき計測された、位置登録エリアに登録している移動機の数である登録数を、交換機から受信する受信部と、人口分布に関する人口分布情報であって、少なくとも受信部が受信した信号数に対応する情報を含む人口分布情報を信号数に基づいて算出する人口分布算出部と、人口分布情報に含まれる情報であって、位置登録エリアを構成するセクタに関する信号数に対応する情報を、登録数に基づいて修正する登録数考慮部と、修正後の人口分布情報を出力する出力部と、を備える。
【手続補正７】
【補正対象書類名】明細書
【補正対象項目名】００１４
【補正方法】変更
【補正の内容】
【００１４】
この構成により、移動機が送信した位置登録信号を簡易に且つ速やかに収集して、その情報に基づいて算出した人口分布情報を出力することにより、巨視的な人口分布に関するデータ調査結果を簡易に且つ速やかに得ることが可能となる。また、位置登録エリア単位では、実際に在圏している移動機の数量（実数）を把握しているため、該把握している情報を利用して、より現実に即した人口分布情報を算出することが可能となる。
【手続補正８】
【補正対象書類名】明細書
【補正対象項目名】００１５
【補正方法】変更
【補正の内容】
【００１５】
上記課題を解決するため、本発明の一側面に係る情報分析方法は、位置を登録する単位領域である位置登録エリアを構成するセクタを制御する基地局と、セクタに在圏する移動機と、基地局を制御する無線ネットワーク制御装置と、交換機と、交換機を介して無線ネットワーク制御装置と通信可能な状態で接続されている情報分析装置と、を含んで構成されている通信システムにおいて実行される情報分析方法であって、無線ネットワーク制御装置が、移動機が送信した信号であって、位置登録エリアへの位置登録を求める信号である位置登録信号を受信する位置登録信号受信ステップと、無線ネットワーク制御装置が、単位時間におけるセクタ単位の位置登録信号の信号数を計測する信号数計測ステップと、交換機が、位置登録エリアへ位置登録を求める位置登録信号を移動機から受信し、当該受信した位置登録信号に基づいて位置登録エリアに登録している移動機の数である登録数を計測する位置登録信号処理ステップと、情報分析装置が、人口分布に関する人口分布情報であって、少なくとも信号数に対応する情報を含む人口分布情報を、信号数に基づいて算出する人口分布算出ステップと、情報分析装置が、人口分布情報に含まれる情報であって、位置登録エリアを構成するセクタに関する信号数に対応する情報を、登録数に基づいて修正する登録数考慮ステップと、情報分析装置が、修正後の人口分布情報を出力する出力ステップと、を備える。
【手続補正９】
【補正対象書類名】明細書
【補正対象項目名】００１６
【補正方法】変更
【補正の内容】
【００１６】
この方法により、移動機が送信した位置登録信号を簡易に且つ速やかに収集して、その情報に基づいて算出した人口分布情報を出力することにより、巨視的な人口分布に関するデータ調査結果を簡易に且つ速やかに得ることが可能となる。また、位置登録エリア単位では、実際に在圏している移動機の数量（実数）を把握しているため、該把握している情報を利用して、より現実に即した人口分布情報を算出することが可能となる。
【国際調査報告】
2010116903.tif 000015
2010116903.tif 000016
2010116903.tif 000017
2010116903.tif 000018